(57)【特許請求の範囲】
【請求項１】
手で把持可能な直径を有する棒状のシャフトと、前記シャフトの下部に一体に形成されシャフトより大きい直径を有する柱の形状のヘッド部とが具備されたゴルフ練習バットにおいて、
前記ヘッド部（３）の内側下部に一体に内蔵されて一定の重量感を形成することで、ヘッド部３の下部に荷重が集中されるようにする金属材質からなる錘（５）と、
前記ヘッド部（３）の内側中間部分に垂直に立てられた状態で内蔵設置され、内側上部には上端金属板（１４）が固定設置され、下部には衝突音発生を防止する緩衝材（１５）が固定設置され、内部には第１お知らせボール（１６）が位置移動可能に内蔵されており、バックスウィングとフォロースウィングの際、前記ヘッド部（３）が逆さに立てられてトップ及びフィニッシュの位置に到逹すれば、第１お知らせボール（１６）が下り落ちて上端金属板（１４）に突き当てられて衝突音を発生することで、トップ及びフィニッシュの位置とタイミングにつき見当がつくようにする第１お知らせ管（１３）と、
前記ヘッド部（３）の内側中間部分に第１お知らせ管（１３）と共に垂直に立てられた状態で内蔵設置され、内側上部には磁石板（１８）が固定設置され、下部には下端金属板（１９）が固定設置され、内部には第２お知らせボール（２０）が位置移動可能に内蔵されており、トップ位置では前記第２お知らせボール（２０）が磁石板（１８）に接触して付着した状態にあり、ダウンスウィングの際、インパクト時点で一定の回転力が加えられれば、磁石板（１８）から離れ出て下端金属板（１９）に突き当てられて衝突音を発生することで、インパクトタイミングにつき見当がつくようにする第２お知らせ管（１７）と、
で構成され、
前記ヘッド部（３）は、内側下部に直線型の挿入ホール（７）が形成されており、前記挿入ホール（７）の内側上部には、第１お知らせ管（１３）と第２お知らせ管（１７）が挿入されて嵌め込まれており、その下部に位置する挿入ホール（７）の上部または中間部分には挿入ホール（７）の直径より大きく拡張された凹溝部（８）が形成されており、溶融状態の金属を前記挿入ホール（７）と凹溝部（８）に充填して固形化させることで、上部または中間部分に外側へ膨出する突出部（６）が突出形成された錘（５）が、ヘッド部（３）の内側下部に一体に内蔵設置されることとなっており、これにより、前記ヘッド部３の下部に、一定の荷重が集中するように内蔵された錘（５）が、突出部（６）によってスウィングの際、外側に抜け出ないようになっていることを特徴とする、錘が内蔵されたトップ、インパクト、フィニッシュタイミング調節用ゴルフ練習バット。
【請求項２】
前記挿入ホール７には、下部内周面に多数個の固定ピン（９）が一定の間隔をなして固定設置されており、前記各固定ピン（９）は、一部が挿入ホール７の内側に向かって突き出するように設置されており、このことから、前記挿入ホール７の内側下部に溶融された金属が充填されれば、突き出している、固定ピン（９）の一部が、溶融した金属の内部に一体に挿入された状態を維持することで、前記溶融された金属の固形化により形成される錘（５）と一体化されるようになっていることを特徴とする請求項１に記載の錘が内蔵されたトップ、インパクト、フィニッシュタイミング調節用ゴルフ練習バット。
【請求項３】
前記ヘッド部（３）には、下部に前後水平方向に穿孔された貫通ホール（１２）が、一つ、または、上下または左右に一定の間隔をなすように複数個形成されており、前記ヘッド部（３）の前面側に形成された貫通ホール（１２）の入口部分は直径が大きく、ヘッド部（３）の後面側に形成された貫通ホール（１２）の出口部分は入口部分の直径より小さく形成されていることを特徴とする請求項１または２に記載の錘が内蔵されたトップ、インパクト、フィニッシュタイミング調節用ゴルフ練習バット。
【請求項４】
前記緩衝材（１５）は、衝撃が吸収されることで衝突音を発生させないスポンジ材質からなり、トップ位置からダウンスウィングを行う際、インパクト時点の前に、第１お知らせボール（１６）が下方に位置移動することで第１お知らせ管（１３）の底面にぶつかって衝突音が発生するのを防止するようになっていることを特徴とする請求項１〜３のいずれかに記載の錘が内蔵されたトップ、インパクト、フィニッシュタイミング調節用ゴルフ練習バット。
【請求項５】
前記第１お知らせ管（１３）と第２お知らせ管（１７）は、上下に重ねられた状態で設置されるか、または左右に並べられてヘッド部（３）の内側中間部分に内蔵設置されることを特徴とする請求項１〜４のいずれかに記載の錘が内蔵されたトップ、インパクト、フィニッシュタイミング調節用ゴルフ練習バット。
【請求項６】
前記第１お知らせ管（１３）と第２お知らせ管（１７）は、上部と下部がそれぞれ仕上げキャップ（２１a、２１b、２１c、２１d）により塞がれていて、これにより、上下部にそれぞれ固定設置された上端金属板（１４）と緩衝材（１５）及び磁石板（１８）と下端金属板（１９）とは、内蔵された第１お知らせボール（１６）及び第２お知らせボール（２０）の衝撃によって離れ出たり変形するのが防止されており、前記第２お知らせボール（２０）は鉄(Fe)含有金属材質からなることを特徴とする請求項１または５に記載の錘が内蔵されたトップ、インパクト、フィニッシュタイミング調節用ゴルフ練習バット。
【請求項７】
前記ヘッド部（３）には、挿入ホール７の内側下部に溶融された金属が充填されて固形化された状態で、前記挿入ホール（７）の入口部分に、栓（１０）が接着剤で固定されて取り付けられており、これにより、内蔵された錘（５）の遊動及び離脱が防止されていることを特徴とする請求項１に記載の錘が内蔵されたトップ、インパクト、フィニッシュタイミング調節用ゴルフ練習バット。
【発明の詳細な説明】
【技術分野】
【０００１】
本発明は、次のようなゴルフ練習バットに関する。すなわち、ドライバーショットやアイアンショットなどのようなゴルフスウィング練習を行うにあたり、バックスウィングの際における、トップ(top)ポジションでの位置及びタイミングと、インパクト(impact)時点でのタイミングと、フォロースウィングの際における、フィニッシュ(finish)時点での位置及びタイミングとを、それぞれ衝突音を通じて知らせるように構成され、バックスウィングからインパクト及びフォロースウィングのフィニッシュの時点まで、使用者がそれぞれのタイミングと位置につき見当をつけつつスウィング練習するようにするゴルフ練習バットに関するものである。より詳細には、次のように構成されたことを特徴とする、錘が内臓されたトップ、インパクト、及びフィニッシュタイミング調節用ゴルフ練習バットに関する。(1) 手で把持可能な、一定の（ある程度の）直径を有する棒状のシャフトと、前記シャフトの下部末端に一体に形成されてシャフトの直径より大きい直径を有する柱の形状のヘッド部と、(2) 前記ヘッド部の内側下部に一体に内臓された状態で一定の重量感を形成することで、ヘッド部の下部に荷重が集中されるようにする、金属材質からなる錘と、(3) 前記ヘッド部の内側中間部分に垂直に立てられた状態で内臓設置され、内側上部には上端金属板が固定設置され、下部には緩衝材が固定設置され、内部には第１お知らせボールが位置移動可能に内臓されており、バックスウィング及びフォロースウィングを行う際、、前記ヘッド部が逆さ（さかさ）に立てられてトップ及びフィニッシュの位置に到逹すれば、第１お知らせボールが下方へ下り落ちることで、上端金属板に突き当てられて衝突音を発生することで、トップ及びフィニッシュの位置及びタイミングにつき見当がつくようにする第１お知らせ管と、(4) 前記ヘッド部の内側中間部分に第１お知らせ管とともに垂直に立てられた状態で内臓設置されてており、内側上部には磁石板が固定設置され、下部には下端金属板が固定設置され、内部には第２お知らせボールが位置移動可能に内臓されており、トップ位置では前記第２お知らせボールが磁石板に接触して付着した状態にあり、この状態からダウンスウィングを行う際、、インパクト時点で一定の回転力が加えられば、磁石板から離れて下端金属板に突き当てられて衝突音を発生することで、インパクトタイミングにつき見当がつくようにする第２お知らせ管で構成されている。
【背景技術】
【０００２】
一般的に、ゴルフ競技は、ドライバー、アイアン、パターなどのクラブでもって、静止した球を打撃して、一定の距離に定められたホールカップにホールインさせる競技であり、独特の面白さとともに、その運動效果にもすぐれ、最近多くの人々が楽しむスポーツ種目である。このようなゴルフを、もっと面白く楽しんで競技力を高めるためには、クラブを通じての正確な打撃が行わなければならないのであり、その基礎になるのが、正しいスウィング姿勢を習得することである。
【０００３】
このようなゴルフスウィングの正しい姿勢は、概して、クラブを両手で正しくつかむ方法と、インパクトの際、クラブフェースがゴルフボールに直角に位置するようにする正確なスクエア角度の維持と、クラブフェースが球に突き当たる瞬間に最も強く速い速度で強力な打撃を加えるインパクトタイミングの調節などが、最も重要な要素である。特に、ゴルフボールを最も遠く飛ばさなければならないドライバーショットの場合は、クラブフェースの正確なスクエア角度の維持、及びインパクトタイミングが、何よりも重要な要素に該当する。ところが、上記のようなドライバーショットなどのゴルフスウィングの練習の際、スウィング姿勢は、練習者が自ら体得したスウィング習慣によって多様な形態を現わすことから、これを正しい姿勢に矯正するのがとても難しいのが実情である。また、一般的なゴルフクラブを用いてスウィング練習をする場合は、ゴルフクラブが軽くて筋力強化效果が少なく、練習者自身が正しいスウィングをしているかどうかにつき知ることができない。そのため、スウィング姿勢を矯正して正確なスウィング姿勢を維持したり、柔らかなスウィングが行われるようにする效果は、期待することができなかった。
【０００４】
上記のような問題点を改善するために、本出願人により出願された大韓民国公開実用新案公報公開番号第20-2009-0010707号では、図７に図示されたように、(1)等しい直径を有する棒状をなし上部末端には離脱防止用係止突起２２'が形成されているシャフト２'と、(2)前記シャフト２'の下部末端に一体に形成され、上部は前記シャフト２'の下部末端から下方に行くほどその直径が徐々に広がっていくテーパ部１１'が形成され、下部は前記シャフト２'の直径より大きい直径を有する円柱型に形成され、荷重が集中しているヘッド部３'とから構成されている。ここで、前記ヘッド部３'の下部には、水平方向に穿孔された貫通ホール１２'が、上下に一定の間隔をなして多数個形成されており、前記貫通ホール１２'は、ヘッド部３'の前面側に形成された入口部分は直径が大きく、ヘッド部３'の後面側に形成された出口部分は入口部分の直径より小さく形成されている。このようなインパクトタイミング調節用ゴルフ練習バット１'が開示された。このゴルフ練習バット１'は、ヘッド部３'の直径と長さ寸法を大きく設け、下部に荷重が集中することで一定の重量感を形成しており、このようにして、ゴルフスウィングによる筋力強化、及びスウィング軌道が自然に実現されるようにした。また、ゴルフ練習バット１'をダウンスウィングする際、インパクト時点で最も強く速いスウィングを行えば、前記貫通ホール１２'の広い入口部分を通じて流入した気流が狭い出口部分を通じて排出されることで所定の笛音が発生する。このようにして、クラブフェースの正確なスクエア角度維持及びインパクトタイミングにつき、使用者が正確に認識しながらスウィング練習するようになっている。ところが、前記ヘッド部３'に荷重を集中させるために、ヘッド部３'の直径と長さ寸法が過度に大きくなり、全体的に嵩が非常に大きくなって、携帯及び保管が不便である。また、ゴルフ練習バット１'の下部末端側にだけ荷重が集中されるのではなく、ヘッド部３'全体に荷重が分散していてゴルフスウィングの際、正しいスウィング軌道形成が難しいという問題点があった。
【０００５】
また、前記ゴルフ練習バット１'を女性や老弱者が使う場合には、一般にスウィングする力と速度が小さく、前記貫通ホール１２'から所定の笛音が発生されず、インパクトタイミングを認知しにくいとうい問題点がある。ゴルフスウィングの際、バックスウィングで、トップ(top)ポジションの位置と、トップポジションからダウンスウィングすべきタイミングとにつき、全く見当をつけることができない。また、フォロースウィングの際、フィニッシュ(finish) 時点の位置及びタイミングについて使用者が見当をつけながらスウィング練習することができないという問題点があった。
【先行技術文献】
【特許文献】
【０００６】
【特許文献１】米国特許出願公開US2006-0058108A
【特許文献２】米国特許出願公開US2005-0192112A
【特許文献３】韓国実用新案20-1998-0042286U
【特許文献４】米国特許US4614343
【特許文献５】実開平06-031774U
【発明の概要】
【発明が解決しようとする課題】
【０００７】
したがって、本発明は、前記のような従来の問題に鑑みなされたもので、本発明の目的は、次のようなゴルフ練習バットの提供にある。すなわち、ゴルフスウィング練習の際、ヘッド部全体に荷重が分散せず、下部側に荷重が集中するようにし、一方では、前記ヘッド部の直径と長さにつき、従来より小さく短く形成し、内部に金属材質からなる重量錘を一体に内臓する。このようにして携帯、保管、及び移動が非常に簡便であり、一定の重量感が形成されてゴルフスウィングによる筋力強化、及びスウィング軌道が自然に実現されるようにする。また、前記ヘッド部の内側中間部分に第１お知らせ管と第２お知らせ管を内臓設置し、前記第１お知らせ管の内部に内臓されて位置移動が行われる第１お知らせボールの衝突音によってバックスウィング及びフォロースウィングの際、トップ及びフィニッシュ時点のタイミングと位置について見当がつくようにする。他方では、前記第２お知らせ管の内部に内臓されて位置の移動を行う第２お知らせボールの衝突音によって、インパクトタイミングについて見当がつくようにする。このようにして、バックスウィングのトップからインパクト及びフォロースウィングのフィニッシュ時点まで、使用者が各位置及びタイミングにつき見当をつけながらスウィング練習するようにする。
【課題を解決するための手段】
【０００８】
このような目的を果たすために、(1)手で把持可能な直径を有する棒状のシャフトと、(2)前記シャフトの下部に一体に形成されてシャフトより大きい直径を持った柱の形状のヘッド部と、前記ヘッド部の内側下部に一体に内臓された状態で一定の重量感を形成しつつ、ヘッド部の下部に荷重が集中されるようにする金属材質からなる錘（重量錘）と、(3)前記ヘッド部の内側中間部分に垂直に立てられた状態で内臓設置され、内側上部には上端金属板が固定設置され、下部には衝突音発生を防止する緩衝材が固定設置され、内部には第１お知らせボールが位置移動可能に内臓され、バックスウィングとフォロースウィングの際、前記ヘッド部が倒立してトップ及びフィニッシュの位置に到逹すれば、第１お知らせボールが下り落ちることにより、上端金属板に突き当てられて衝突音を発生することで、トップ及びフィニッシュの位置とタイミングにつき見当をつけるようにする第１お知らせ管と、(4)前記ヘッド部３の内側中間部分に第１お知らせ管と共に垂直に立てられた状態で内臓設置され、内側上部には磁石板が固定設置され、下部には下端金属板が固定設置され、内部には第２お知らせボールが位置移動可能に内臓され、トップ位置では前記第２お知らせボールが磁石板に接触して付着した状態となり、ダウンスウィングの際、インパクト時点にて一定の回転力が加えられれば、磁石板から離れ出て下端金属板に突き当てられることで衝突音を発生し、インパクトタイミングについて見当をつけるようにする第２お知らせ管とから構成されたことに本発明の特徴がある。
【発明の効果】
【０００９】
上記のように、本発明によれば、ゴルフスウィング練習の際、ヘッド部全体に荷重が分散せず、下部側に荷重が集中されるように内部に金属材質からなる重量錘が一体に内臓されており、携帯、保管、及び移動が非常に簡便であり、一定の重量感が形成されてゴルフスウィングによる筋力強化及びスウィング軌道が自然に実現されるようにすることができる。また、前記ヘッド部の内側中間部分に第１お知らせ管と第２お知らせ管が内臓設置されており、前記第１お知らせ管の内部に内臓されて位置移動を行う第１お知らせボールの衝突音によってバックスウィング及びフォロースウィングの際、トップ及びフィニッシュ時点の位置及びタイミングにつき見当がつけられる。一方、前記第２お知らせ管の内部に内臓され位置移動される第２お知らせボールの衝突音によると、インパクトタイミングつき見当がつけられる。このようにして、バックスウィングのトップからインパクト及びフォロースウィングのフィニッシュ時点まで、使用者がそれぞれのタイミング及び位置につき見当をつけつつスウィング練習することができる效果がある。
【図面の簡単な説明】
【００１０】
【図１】本発明によるゴルフ練習バットの概略斜視図である。
【図２】図１のA-A'線の断面概略図である。
【図３】本発明によるゴルフ練習バッにおけるのヘッド部の内側中間部分に第１及び第２お知らせ管を内臓設置し、下部に重量錘を内臓設置した後、貫通ホールを穿孔する過程を図示した断面概略図である。
【図４】本発明によるゴルフ練習バットがバックスウィングのトップからインパクト及びフォロースウィングのフィニッシュの時点までスウィングされる状態における、第１及び第２お知らせボールの位置移動を示す、ヘッド部の断面による概略図である。
【図５】本発明によるゴルフ練習バットの他の実試例を示す概略断面図である。
【図６】本発明によるゴルフ練習バットを用いてスウィング練習を行う際、インパクト時点にて貫通ホールを通じて気流が形成されることで所定の笛音が発生する状態についての概略斜視図である。
【図７】従来のゴルフ練習バットについての概略断面図である。
【発明を実施するための形態】
【００１１】
前記のような本発明の実施例を添付された図面を参照して詳しく説明する。
【００１２】
本発明によるゴルフ練習バット１は、図１〜６に図示されたように、ドライバーショットやアイアンショットなどのようなゴルフスウィング練習を行うにあたり、バックスウィングの際における、トップ(top)ポジションでの位置及びタイミングと、インパクト(impact)時点でのタイミングと、フォロースウィングの際における、フィニッシュ(finish)時点での位置及びタイミングとにつき、それぞれ衝突音を通じて報知を行うことで、バックスウィングからインパクト及びフォロースウィングのフィニッシュの時点まで、使用者がそれぞれのタイミングと位置につき見当をつけつつスウィング練習を行うようにする。また、ゴルフスウィングによる筋力強化及びスウィング軌道が自然に実現されるようにするゴルフ練習用バットであり、(1) 長い棒状であって使用者が上端部を手で把持するようになっているシャフト２と、(2) 前記シャフト２の下端に一体に形成され、前記シャフト２の直径より大きい直径を有する柱の形状であって荷重が集中するヘッド部３と、(3) 前記ヘッド部３の内側下部に一体に内臓された状態で一定の重量感を形成しつつヘッド部３の下部に荷重が集中されるようにする金属材質からなる錘５と、(4) 前記ヘッド部３の内側中間部分に垂直に立てられた状態で内臓設置されて内部に具備された第１お知らせボール１６によって、バックスウィング及びフォロースウィングの際、トップ及びフィニッシュ位置及びタイミングにつき、それぞれ見当がつくようにする第１お知らせ管１３と、(5) 前記ヘッド部３の内側中間部分に第１お知らせ管１３と共に垂直に立てられた状態に内臓設置されて内部に具備された第２お知らせボール２０によって、インパクトタイミングにつき見当がつくようにする第２お知らせ管１７とから構成されている。
【００１３】
前記シャフト２は、図１〜６に図示されたように、木材材質からなり、一定の直径を有する長い棒状であって、使用者が両手で通常のゴルフクラブのように把持しやすい直径を有している。また、ゴルフ練習バット１の全体長さの７/１０ないし９/１０位の長さになっており、シャフト２の上端部には、前記シャフト２との摩擦力が強い、ゴムなどの材質からなる把持用グリップ４が嵌められて取り付けられている。このようにして、使用者が両手で前記把持用グリップ４を把持した後、スウィング練習を行う際、ゴルフ練習バット１が手から離れ出ずに安定に把持されるようになっている。
【００１４】
前記ヘッド部３は、図１〜６に図示されたように、木材材質からなり、ゴルフ練習バット１の荷重が分散せず、下部側に集中して一定の重量感を形成することによって、ゴルフスウィングによる筋力強化、及び、スウィング軌道が自然に実現されるようにするための部分である。前記シャフト２の下部末端に一体に形成され、シャフト２の直径より大きい直径を有する柱の形状になっており、荷重が集中されるようになっている。ヘッド部３は、ゴルフ練習バット１全体長さの１/１０〜３/１０程度の長さで、短く形成されており、その直径はシャフト２の直径より１．５〜２倍程度、より大きい直径を有する柱型に形成されている。前記ヘッド部３の直径と長さが、従来のゴルフ練習バット１'より、小さく短く形成されており、前記ヘッド部３の内側下部には金属材質からなる錘５が一体に内臓されていることから、一定の重量感が形成されるとともに、ヘッド部３の下部に荷重が集中されることで、ゴルフスウィングに伴う、筋力強化、及び、スウィング軌道の形成が自然に実現されるようになっている。
【００１５】
前記錘５は、金属材質からなる円柱の形状をなし、上部または中間部分には外側へ膨出する突出部６が一体に形成されており、ゴルフ練習バット１を強く振り回す場合にもヘッド部３の内側下部に内臓された錘５が外側に離脱しないようになっている。上記のように突出部６が形成された金属材質の錘５を、ヘッド部３の内側下部に一体に内臓設置する過程は、図３に図示されたように、次のとおりである。木材などからなるヘッド部３の下端部から、通常のドリルマシンなどで一定の深みで掘り出してヘッド部３の内側下部に、長い直線型の挿入ホール７を形成する。前記挿入ホール７の内側上部には、第１お知らせ管１３と第２お知らせ管１７を挿入して嵌め込む。その下部に位置する挿入ホール７の残りの部分のうちの、上部または中間部分を、ドリルマシンなどで掘り出して挿入ホール７の直径より大きく拡張された凹溝部８を形成する。この後、溶融したハンダ・鉛などのような溶融状態の金属を前記挿入ホール７と凹溝部８に充填して固形化させて上部または中間部分に、外側へ膨出する突出部６が突出形成された錘５が、ヘッド部３の内側下部に一体に内臓設置されるようにする。これによって、前記ヘッド部３の下部に、一定の荷重が集中されるように内臓された錘５は、突出部６により、スウィングの際にも外側に抜け出ないようになっている。
【００１６】
また、前記挿入ホール７には、図２及び３に図示されたように、下部内周面に多数個の固定ピン９が一定の間隔に固定設置されている。前記各固定ピン９は、一部が挿入ホール７の内側を向いて突き出すように設置されており、前記挿入ホール７の内側下部に溶融したハンダ・鉛などの金属が充填されば、挿入ホール７の内側に突き出す固定ピン９の一部が、溶融した金属の内部に一体に挿入された状態を維持する。このようにして、前記溶融された金属の固形化で形成される錘５と一体化されて、前記錘５が挿入ホール７内にて、より堅固に固定された状態を維持するようになっている。
【００１７】
また、本発明の他の実試例において、前記ヘッド部３には、図５に図示されたように、挿入ホール７の内側下部に融融されたハンダ・鉛などの金属が充填されて固形化された状態で、前記挿入ホール７の入口部分に、栓１０を通常の接着剤などで固定して取り付ける。このようにして、内臓された重量錘５の遊動及び離脱を、さらに防止するようにすることができる。
【００１８】
一方、前記ヘッド部３には、シャフト２の下部末端に一体に形成されて、上部が下方へ行くほどその直径が徐々に広がるテーパ部１１が形成されている。このようにして、前記シャフト２とヘッド部３が自然に連結形成されるようになっている。前記ヘッド部３は、内部に錘５が内臓されていて、その荷重が、シャフト２の荷重より１．５〜３倍程度、より重く形成されるのが望ましい。ここで、前記ヘッド部３が上記よりも軽い場合には、一定の重量感が形成されず、スウィング練習が效果的に行われない。逆に、前記ヘッド部３が上記よりも重い場合には、ヘッド部３の荷重が大き過ぎてスウィング練習の際、スウィング軌道がまともに実現されないという問題点が発生するようになる。
【００１９】
また、前記ヘッド部３は、図１〜６に図示されたように、下部に前後水平方向に穿孔された貫通ホール１２が上下または左右一定の間隔に一つまたは複数個形成されている。前記ヘッド部３の前面側に形成された貫通ホール１２の入口部分は直径が大きく、ヘッド部３の後面側に形成された貫通ホール１２の出口部分は入口部分の直径より小さく形成されている。ゴルフ練習バット１のスウィングの際、最も強くて速いスウィングを行わなければならないインパクトの時点にて強くて速いスウィングを行えば、図６に図示されたように、ヘッド部３の前面側（通常のゴルフクラブにおいてクラブフェースに相当する）に形成された前記貫通ホール１２の広い入口部分を通じて瞬間的に流入した気流が、狭い出口部分を通じて速く排出される。このようにして、所定の笛音が発生して、クラブフェースの正確なスクエア角度維持及びインパクトタイミングにつき、使用者が見当をつけつつスウィング練習するようになっている。
【００２０】
前記貫通ホール１２は、入口部分の直径を ０．８〜１．５cm程度に形成し、出口部分の直径を０．３〜０．８cm程度に限定して形成するのが最も望ましい。この際、前記貫通ホール１２の入口部分や出口部分の直径が、上記よりも大きいか、または、より小さい場合には、ゴルフ練習バット１を、より強く速く振り回しても、所定の笛音がよく発生しなくなる。
【００２１】
また、通常のゴルフクラブでクラブフェースに該当する前記貫通ホール１２の入口部分が、インパクトの際、スクエア角度を維持せず、スウィングの途中、捩れるか、または傾くようになれば、貫通ホール１２の入口部分を通じて気流がまともに流入せず、前記笛音が小さく出るか、または発生されないことから、スウィング姿勢が間違ったことを認知することができる。また、スウィングの際、インパクト位置の前や後に所定の笛音が発生するようになれば、インパクトタイミングにつき速すぎるか遅すぎるようにしたのであると認知して、インパクトタイミングを調節することができるようになる。
【００２２】
前記第１お知らせ管１３は、図２〜５に図示されたように、ヘッド部３の内側中間部分に垂直に立てられた状態で内臓設置されて内部に具備された第１お知らせボール１６によって、バックスウィング及びフォロースウィングの際、、トップ(top)及びフィニッシュ(finish)の位置及びタイミングにつき、使用者により見当がつけられるようにする部分である。前記第１お知らせ管１３は、挿入ホール７の内側にぴったりと合う外径を有する管の形となっている。内側上部には上端金属板１４が固定設置され、下部には緩衝材１５が固定設置され、内部には金属材質からなる第１お知らせボール１６が位置移動可能に内臓されている。図４に図示されたように、バックスウィング及びフォロースウィングの際、前記ヘッド部３が逆（さかさ）に立てられることで、トップ及びフィニッシュの位置に到逹する時、第１お知らせボール１６が、自重によって下方へ下り落ちることから上端金属板１４に突き当たって衝突音を発生する。このようにして、クラブヘッドのトップ及びフィニッシュの位置及びタイミングにつき使用者は見当がつけられるようになっている。
【００２３】
前記緩衝材１５は、衝撃が吸収されることで衝突音を発生させないスポンジなどの材質からなる。トップ位置からのダウンスウィングの際、インパクト時点の前に第１お知らせボール１６が下方に位置移動することで第１お知らせ管１３の底面にぶつかって先に衝突音が発生するのを、防止するようになっている。これによって、前記第２お知らせ管１７の第２お知らせボール２０によってだけ、インパクト時点で衝突音が発生するようになっている。そのため、使用者は、混同せずに、正確にインパクト時点について見当がつくようになっている。
【００２４】
前記第２お知らせ管１７は、図２〜５に図示されたように、ヘッド部３の内側中間部分に第１お知らせ管１３と共に垂直に立てられた状態で、上下に内臓設置されて内部に具備された第２お知らせボール２０によって、インパクトタイミングにつき使用者に見当をつけさせるようにする部分である。前記第２お知らせ管１７は、挿入ホール７の内側にぴったりと合う外径を有する管の形である。内側上部には、磁石材質からなる磁石板１８が固定設置され、下部には下端金属板１９が固定設置され、内部には鉄(Fe)含有金属材質からなる第２お知らせボール２０が位置移動可能に内臓されている。図４に図示されたように、トップ位置にあってヘッド部３が逆さ（さかさ）に立てられた状態では、前記第２お知らせボール２０が、磁石板１８と接触し合って付着した状態を維持する。ダウンスウィングの際には、磁石板１８に接触して付着した状態を維持しているところに、インパクト時点で一定の回転力が加えられれば、磁石板１８から離れ出て、下端金属板１９に接することで衝突音を発生させ、使用者がインパクトタイミングにつき推定・判断できるようになっている。
【００２５】
前記第２お知らせボール２０は、決まった重量を有する鉄(Fe)含有金属ボールからなる。磁石板１８の磁力によって、一定に付着した状態を維持しているところに、ダウンスウィングの際、インパクト時点で、一定の回転力が加えられて、磁石板１８から引き離される。前記第２お知らせボール２０の重量を多様なものとすることで、スウィング速度や力が弱い初心者または女性や老弱者などの場合には、大きい重量を有する第２お知らせボール２０が内臓されたものを用い、これにより、弱い回転力が加えられる場合にも容易に磁石板１８から離脱可能にする。スウィング速度や力が強い男性などの場合には、小さな重量を有する第２お知らせボール２０が内臓されたものを用い、強い回転力が加えられる場合にだけ磁石板１８から離脱可能になる。
【００２６】
また、前記第１お知らせ管１３と第２お知らせ管１７は、上部と下部がそれぞれ仕上げキャップ２１a, ２１b, ２１c, ２１dでもって塞がれている。これにより、上下部にそれぞれ固定設置された上端金属板１４と、緩衝材１５及び磁石板１８と、下端金属板１９とが、内臓された第１お知らせボール１６及び第２お知らせボール２０の衝撃によって抜け出たり変形するのを、防止するようになっている。また、前記第１お知らせ管１３の上端金属板１４と、第２お知らせ管１７の下端金属板１９とは、非鉄金属材質からなり磁石板１８の磁力によって影響を受けないようになっている。
【００２７】
一方、前記第１お知らせ管１３と第２お知らせ管１７は、図２に図示されたように上下に積層された状態で設置される場合、第１お知らせ管１３や第２お知らせ管１７中のどちらが上部に位置してもかまわない。また、必要によっては前記ヘッド部３の内側に左右に並べて並列式(未図示)に立てられた状態でも設置可能である。
【００２８】
以下、本発明の作用は次のようである。
【００２９】
本発明によるゴルフ練習バット１を使ってドライバーショットやアイアンショットのようなゴルフスウィング練習を行う際、シャフト２の上端部を、通常のゴルフクラブを把持する方法と同様に両手で把持して、スウィング練習をすることとなる。ここで、前記ヘッド部３の内側下部に一体に内臓設置された金属材質の重量錘５によって、ヘッド部３全体に荷重が分散せず、下部の側に荷重が集中して一定の重量感が形成される。このことから、ゴルフスウィングに伴う筋力強化、及び、スウィング軌道が自然に実現される。図４に図示されるように、バックスウィングの際、前記ヘッド部３が逆さに立てられてトップ位置に到逹すれば、第１お知らせボール１６が自重によって下方へと下り落ちて、上端金属板１４に接して衝突音を発生させることから、トップのタイミングと位置につき見当がつくこととなる。前記第２お知らせボール２０は、トップの位置で磁石板１８に接触して付着した状態から、ダウンスウィングを行う際、一定の回転力が加えられると、磁石板１８から離れ出て下端金属板１９に突き当たって衝突音を発生させることで、使用者はインパクトタイミングについて見当がつくこととなる。この際、前記第１お知らせボール１６は、回転力によってインパクト時点の前に緩衝材１５にぶつかることから、衝突音が発生しないまま、下部の側へ移動した状態を維持する。フォロースウィングの際、、フィニッシュの時点で前記ヘッド部３が、再度、逆さに立てられれば、上部の側に位置する第１お知らせボール１６及び第２お知らせボール２０が自重によって下方へ下り落ちる。このことから、第２お知らせボールは磁石板１８に再付着され、第１お知らせボールは上端金属板１４に突き当たりつつ衝突音を発生して、フィニッシュ位置及びタイミングを使用者に知らせる。このようにして、バックスウィングからインパクト及びフォロースウィングのフィニッシュの時点まで、使用者は、クラブヘッドの各位置及びタイミングにつき見当をつけつつスウィング練習することとなる。
【００３０】
また、前記ヘッド部３の下部に穿孔された貫通ホール１２の入口部分（通常のゴルフクラブにおけるクラブフェースに相当する部分）がインパクト時点で正確なスクエア角度を維持するようにスウィング練習することとなる。スウィングの際、、インパクトの時点で最も強くて速いスウィングをするようになれば、図６に図示されたように、前記貫通ホール１２の広い入口部分を通じて瞬間的に流入した気流が、狭い出口部分を通じて速く排出されることで、所定の笛音が発生する。このことから、クラブフェースの正確なスクエア角度の維持及びインパクトタイミングについて、第２お知らせボール２０の衝突音とともに、使用者が認識しつつ、スウィング練習を行うこととなる。
【産業上の利用可能性】
【００３１】
本発明によるゴルフ練習バットには、ヘッド部全体に荷重が分散せず、下部側に荷重が集中するようにすべく、内部に、金属材質からなる重量錘が内臓されることで、一定の重量感が形成されてゴルフスウィングによる筋力強化、及び、スウィング軌道が自然に実現される。前記ヘッド部の内側中間部分には、第１お知らせボールと第２お知らせボールがそれぞれ内臓された第１お知らせ管と第２お知らせ管が設置されているので、バックスウィングのトップからインパクト及びフォロースウィングのフィニッシュ時点まで、使用者がそれぞれの位置及びタイミングにつき見当をつけつつスウィング練習することができる。このことから、ゴルフスウィング練習道具や練習製品などの分野に適用されて、広く有用に活用されるであろう。
【符号の説明】
【００３２】
１, １'…ゴルフ練習バット;     ２, ２'…シャフト;       ３, ３'…ヘッド部 ; 
４…把持用グリップ;           ５…錘;                 ６…突出部; 
７…挿入ホール;               ８…凹溝部;             ９…固定ピン; 
１０…栓;                     １１, １１'…テーパ部;   １２, １２'…貫通ホール; 
１３…第１お知らせ管;         １４…上端金属板;       １５…緩衝材; 
１６…第１お知らせボール;     １７…第２お知らせ管;   １８…磁石板; 
１９…下端金属板;             ２０…第２お知らせボール; 
２１a, ２１b, ２１c, ２１d…仕上げキャップ;           ２２'…係止突起
【図１】
0005497200.tif 000002
【図２】
0005497200.tif 000003
【図３】
0005497200.tif 000004
【図４】
0005497200.tif 000005
【図５】
0005497200.tif 000006
【図６】
0005497200.tif 000007
【図７】
0005497200.tif 000008